(57)【特許請求の範囲】
【請求項１】
診療記録の解釈を要請する方法であって、
ａ）コンピュータシステムのプロセッサによって対象者に関連付けられた診療記録を受信することと、
ｂ）前記診療記録に基づいて医療供給者のデータベースを検索することと、前記データベースの各医療供給者は、少なくとも一者の有資格の医療供給者を提供するために、独立して専門分野と関連付けられ、前記有資格の医療供給者は前記診療記録を解釈する資格があり、前記検索は前記プロセッサによって実施され、
ｃ）前記プロセッサにより、前記有資格の医療供給者による前記診療記録の要請された解釈を要請することと、
ｄ）前記プロセッサにより、前記有資格の医療供給者による前記診療記録の前記要請された解釈を受信することと、及び、
ｅ）解釈のランキングを提供するために、前記プロセッサにより、前記要請された解釈を、異なる医療供給者による少なくとも一つの代替解釈に対してランク付けすることと、を備える前記方法。
【請求項２】
前記有資格の医療供給者は、前記診療記録と関連付けられた専門知識を有する、請求項１に記載の方法。
【請求項３】
前記要請された解釈は、前記専門知識の水準に基づいてランク付けされる、請求項２に記載の方法。
【請求項４】
前記要請された解釈は、前記有資格の医療供給者及び追加の医療供給者間の仮想的協力体制に基づく、請求項１に記載の方法。
【請求項５】
前記有資格の医療供給者及び前記追加の医療供給者は、互いに匿名である、請求項４に記載の前記方法。
【請求項６】
前記診療記録の前記要請された解釈は診断を備える、請求項１に記載の方法。
【請求項７】
前記診療記録の前記解釈は治療の提言を備える、請求項１に記載の方法。
【請求項８】
前記診療記録の前記解釈は、セカンドオピニオンを提供するための診断の審査を備える、請求項１に記載の方法。
【請求項９】
前記診療記録の前記解釈は、セカンドオピニオンを提供するための治療の提言の審査を備える、請求項１に記載の方法。
【請求項１０】
更に、解釈の前記ランキングへのアクセスをユーザに提供することを備える、請求項１に記載の方法。
【請求項１１】
前記診療記録は身体状態を含み、前記コンピュータシステムは、前記有資格の医療供給者からの前記要請された解釈を受けると、前記有資格の医療供給者を前記身体状態と関連付けられた今後の医療要請を受信するためのキューに配置する、請求項１に記載の方法。
【請求項１２】
前記診療記録の情報に基づいて医療資源のデータベースを検索することを更に備え、それによって、関連医療資源を特定し、前記要請された解釈の要請の際に、前記関連医療資源を前記有資格の医療供給者に提供する、請求項１に記載の方法。
【請求項１３】
前記関連医療資源は、前記対象者のオンラインの個人医療プロファイルに追加される、請求項１２に記載の方法。
【請求項１４】
医師に解釈の前記ランキングのセカンドオピニオンを請求することを更に備える、請求項１に記載の方法。
【請求項１５】
前記診療記録及び前記要請された解釈へのアクセスを、仮想ネットワークを介してオンラインの医師コミュニティに提供することを更に備える、請求項１に記載の方法。
【請求項１６】
前記診療記録は、前記対象者からの医療要請を介して受信される、請求項１に記載の方法。
【請求項１７】
前記診療記録は、前記対象者のオンラインの個人医療プロファイルから受信される、請求項１に記載の方法。
【請求項１８】
前記診療記録は予備的診断を備える、請求項１に記載の方法。
【請求項１９】
前記検索は複数の有資格の医療供給者を特定し、前記複数のうちの各有資格の医療供給者はランク付けされて、最高ランクから最低ランクの順に有資格の医療提供者のランク付けされた一式が提供される、請求項１に記載の方法。
【請求項２０】
前記要請は、前記ランク付けされた一式の前記有資格の医療供給者に対して、前記最高ランクの前記有資格の医療供給者から順に問い合わせることを備える、請求項１９に記載の方法。
【請求項２１】
前記要請は、前記ランク付けされた一式の前記有資格の医療供給者に対して、ランダムな順で問い合わせることを備える、請求項１９に記載の方法。
【請求項２２】
有資格の医療供給者は、少なくとも一者のその他の有資格の医療供給者が前記要請に肯定的に返答した後で、問い合わせられる、請求項１９に記載の方法。
【請求項２３】
前記要請した解釈と関連付けられた治療介入を前記対象者に提供することを更に備える、請求項１に記載の方法。
【請求項２４】
ａ）仮想医療システムを提供することと、前記仮想医療システムは、
ｉ）入力モジュールと、
ｉｉ）データベースと、前記データベースは複数の医療供給者を備え、
ｉｉｉ）検索モジュールと、
ｉｖ）ランク付けモジュールと、
ｖ）要請モジュールと、及び、
ｖｉ）出力モジュールと、を備え、
ｂ）前記入力モジュールによってユーザから電子診療記録を受信することと、
前記入力モジュールは、前記検索モジュールに前記電子診療記録からの情報を送信し、
ｃ）前記情報に基づいて、前記検索モジュールによって前記データベースを検索することと、前記検索モジュールは、前記データベースの中から、前記情報と関係付けられた医療供給者のサブセットを特定し、
ｄ）前記ランク付けモジュールによって、医療供給者の前記サブセットをランク付けすることと、それによって、前記ランク付けモジュールは、医療供給者の前記サブセットの各医療供給者を、前記情報との関連度合いに基づいてランク付けし、ランク付けされた医療供給者の一式を提供し、
ｅ）少なくとも一者の前記ランク付けされた医療供給者からの前記電子診療記録の要請された解釈を、前記要請モジュールによって要請することと、
ｆ）少なくとも一つの要請された解釈を、前記要請モジュールによって、受信することと、
ｇ）ランク付けされた解釈の一式を提供するため、前記ランク付けモジュールによって、少なくとも一つの代替解釈に対して前記受信した要請された解釈をランク付けすることと、及び、
ｈ）前記出力モジュールを介して、前記ランク付けされた解釈の一式を出力することと、を備える方法を実装するために実行されるよう適用された、コンピュータ実行可能な暗号化されたコードを有するコンピュータ判読可能な媒体。
【請求項２５】
工程ｃ）の前記情報に関連付けられた医療供給者の前記サブセットの各医療供給者は、専門分野に基づいて、独立して前記情報と関連付けられる、請求項２４に記載のコンピュータ判読可能な媒体。
【請求項２６】
工程ｇ）の前記ランク付けされた解釈の一式の前記ランキングは、前記ランク付けされた医療供給者の一式の前記ランク付けと相関関係がある、請求項２４に記載のコンピュータ判読可能な媒体。
【請求項２７】
工程ａ）の前記仮想医療システムは、医療資源のデータベース及び医療資源検索モジュールを更に備え、前記医療資源検索モジュールは、関連医療資源を特定するため、前記情報に基づいて、前記医療資源のデータベースを検索し、前記関連医療資源は、前記要請モジュールによる前記要請において前記ランク付けされた医療供給者に提供される、請求項２４に記載のコンピュータ判読可能な媒体。
【請求項２８】
前記仮想医療システムは、オンラインのポータルを更に備え、前記オンラインのポータルはオンラインのコミュニティに前記電子診療記録へのアクセスを提供する、請求項２４に記載のコンピュータ判読可能な媒体。
【請求項２９】
前記オンラインのコミュニティは医師のサブセットを備える、請求項２８に記載のコンピュータ判読可能な媒体。
【請求項３０】
前記仮想医療システムは、医療撮像モジュールを更に備え、前記医療撮像モジュールは前記オンラインのコミュニティに前記電子診療記録と関連付けられた医療画像へのアクセスを提供する、請求項２８に記載のコンピュータ判読可能な媒体。
【発明の詳細な説明】
【技術分野】
【０００１】
関連出願の相互参照
本特許出願は、米国特許出願第１３／８０２，２２９号（２０１３年３月１３日出願）の米国継続出願であり、米国特許出願第１３／８０２，２２９号は米国特許出願第１２／８３４，３７６号（２０１０年７月１２日出願）の米国継続出願であり、米国特許出願第１２／８３４，３７６号は米国特許出願第０９／７０５，１９８号（２０００年１１月２日出願）（米国特許第７，７５６，７２１号）の米国継続出願であって、米国仮出願第６０／１６３，５２０号（１９９９年１１月４日）の優先権を主張するものであり、米国特許出願第０９／７０５，１９８号は米国特許出願第０８／８１８，１５５号の一部継続出願（１９９７年３月１４日出願）（米国特許第６，２５６，６１３号）である。これらの特許出願は、参照によりその全体が本明細書に取り込まれる。
【背景技術】
【０００２】
医療診断を受けることは、人生を変える出来事になりうる。医療診断によって、精神的、身体的、経済的な挑戦を突きつけられることがあり、その結果、医療診断は、個人の現在及び将来に渡る人生の質に多大な影響を与えることがある。診断が下されたとき、次にするべき工程を把握し、的確な治療計画を特定することは、難しい作業である。情報が氾濫している時代に、有資格の医師を特定するのは、更に困難な課題となりうる。
【０００３】
加えて、複合的な症状を伴う臨床例では、決定的な医療診断はつけ難い。そのような場合、一見無関係で、それぞれが幾分特徴的な各種症状によって、診断が混乱させられることがある。更に、保健医療費支払者のネットワークの医療提供者は一定の複雑な治療を行うことを専門とするかもしれないが、症状を有する患者は、医学のある専門分野の下位専門領域に焦点を当てた異なる医療提供者が必要な場合がある。残念ながら、患者は概して専門の医療供給者への広範なアクセスをもたず、専門の供給者に関する情報は国内外の様々な場所に配置されていることがある。
【発明の概要】
【０００４】
いくつかの実施形態では、本発明は、診療記録の解釈を要請する方法であって、ａ）コンピュータシステムによって対象者に関連付けられた診療記録を受信することと、ｂ）前記診療記録に基づいて医療供給者のデータベースを検索することと、少なくとも一者の有資格の医療供給者を提供するために、データベースの各医療供給者は独立して専門分野と関連付けられ、前記有資格の医療供給者は前記診療記録を解釈する資格があり、前記コンピュータシステムはプロセッサを備え、前記検索は前記プロセッサによって実施され、ｃ）前記有資格の医療供給者からの前記診療記録の要請された解釈を要請することと、ｄ）前記有資格の医療供給者から、前記診療記録の前記要請された解釈を受信することと、及び、ｅ）解釈のランキングを提供するために、前記要請された解釈を、異なる医療供給者による少なくとも一つの代替解釈に対してランク付けすることと、を備える前記方法を提供する。
【０００５】
いくつかの実施形態では、本発明は、ａ）仮想医療システムを提供することと、前記仮想医療システムは、ｉ）入力モジュールと、ｉｉ）データベースと、前記データベースは複数の医療供給者を備え、ｉｉｉ）検索モジュールと、ｉｖ）ランク付けモジュールと、ｖ）要請モジュールと、及び、ｖｉ）出力モジュールと、を備え、ｂ）前記入力モジュールによってユーザから電子診療記録を受信することと、前記入力モジュールは、前記診療記録から前記検索モジュールに情報を送信し、ｃ）前記情報に基づいて、前記検索モジュールによって前記データベースを検索することと、前記検索モジュールは、前記データベースの中から、前記情報と関係付けられた医療供給者のサブセットを特定し、ｄ）前記ランク付けモジュールによって、医療供給者の前記サブセットをランク付けすることと、それによって、前記ランク付けモジュールは、医療供給者の前記サブセットの各医療供給者を、前記情報との関連度合いに基づいてランク付けし、ランク付けされた医療供給者の一式を提供し、ｅ）少なくとも一者の前記ランク付けされた医療供給者からの前記診療記録の要請された解釈を前記要請モジュールによって要請することと、ｆ）少なくとも一つの要請された解釈を、前記要請モジュールによって、受信することと、ｇ）ランク付けされた解釈の一式を提供するため、前記ランク付けモジュールによって、少なくとも一つの代替解釈に対して前記受信した要請された解釈をランク付けすることと、及び、ｈ）前記出力モジュールを介して、前記一式のランク付けされた解釈を出力することと、を備える方法を実装するために実行されるよう適用されたコンピュータ実行可能なコード、を有するコンピュータ判読可能な媒体、を備えるコンピュータプログラム製品を提供する。
【図面の簡単な説明】
【０００６】
【図１】図１は、症例管理モジュール、医師グループモジュール、及び、重要症例のライブラリモジュールを含む、オンラインの医師コミュニティのモジュールを説明したものである。
【図２】図２は、専門家のオンラインプロファイルの構成例を説明したものである。
【図３】図３は、本発明の実施形態例に関連して使用されうるコンピュータシステムの第１の構成例を説明するブロック図である。
【図４】図４は、本発明の実施形態例に関連して使用されうるコンピュータネットワークを説明する図である。
【図５】図５は、本発明の実施形態例に関連して使用されうるコンピュータシステムの第２の構成例を説明するブロック図である。
【図６】図６は、診療記録解釈の要請が添付された、有資格の医師が受け取るメッセージの典型的な構成を説明したものである。
【図７】図７は、有資格の医師に提示される、臨床概要を伴う症例説明の構成例を説明したものである。
【図８】図８は、有資格の医療供給者に提示される、症例概要の代表的モジュールを説明したものである。
【図９】図９は、医師コミュニティを備える仮想医療システムの代表的モジュールを説明したものである。
【図１０】図１０は、仮想医療システム内で症例管理を補助する、有資格の医師が利用可能な代表的モジュールを説明したものである。
【図１１】図１１は、仮想医療システム内のピアグループコミュニティの代表的モジュールを説明したものである。
【発明を実施するための形態】
【０００７】
医療診断に対応するには、多大な挑戦が突きつけられる。一つの医療診断が、例えば、患者の人生のみでなく、家族、医師、看護師の人生、及び、それぞれのコミュニティにも影響を与えることがある。疾病、症候群、又は身体状態の治療において選択される処置計画及び治療の種類は、多くの人生に決定的な影響力をもつが、ほとんどの家族又は個人は、医療診断を受けることによる影響に対処するための備えが充分ではない。更に、多くの人が、いずれかの時期に、不正確な診断を受けるか、又は、症状に困惑した医者に出会っている。診断に対処する方法を学ぶことは難しく、感情的なプロセスとなる可能性があり、不正確な診断に対してどのように対処するかで、誰かの人生と彼らを愛する人たちに壊滅的な結果を招くことになる可能性がある。
【０００８】
誤診によって、毎年およそ４０，０００から８０，０００の病院死が引き起こされている。誤診は、医師が、往々にして、強硬スケジュール、病院組織の要求、及び、複数の職業上の責務を含むことがある要因によって、プレッシャーがかかり、患者の症状を学ぶために適切な時間を割けなかった際に発生することがある。また、誤りは、医師が患者の主訴を軽視した際、医師が患者の既往歴を無視した際、医師が医療検査の結果の正確性を確かめ損ねた際、及び、医師が決定的な診断を下すのに充分な情報が揃っていない可能性には目を背け、患者の症状に名称をつける必要性にかられた際にも、起こることがある。
【０００９】
本明細書では、患者とその家族の肩から不確実性の負担を取り除き、人々が最適な医療助言を取得することを確実にする個人的で、人道的で、包括的な方法を生成するシステム及び方法を提供する。本発明は、世界中の患者とその家族が、複数の分野を専門にする最も有能な医師を特定し、関係を築くのを手助けする。
【００１０】
個人及び家族は、医療診断を受けた際に、診療記録の収集、最も適切な医療供給者の検索、評価、ランク付け、特定、審査、接触、及び、関係性の構築の見通しについて悩む必要がなくなる。本発明のシステムと方法は、優しく、思慮があり、知識が豊富で効果的な医療へのアプローチを採用し、個人又は家族のためにプロセスを能率化する。
【００１１】
医療情報の解釈のプロセスは、ｅメール、親展通話、直接の対話、又は、その他複数のコミュニケーション方法から始めることができる。医師、看護師、診療記録の専門家、又は、監理担当官は、皆、医療解釈の新しい要請が受信された際に注意が喚起されうるグループのメンバである。グループメンバは、医療症例の解釈を要請する当事者と直接対話することができる。グループ内の人員に各症例が付与されてもよく、グループメンバは各医療症例について専任の窓口になることができる。グループメンバは、本発明のオンラインプラットフォーム内で、医療的解釈を要請する対象者のオンラインの個人医療プロファイルを作成することができる。或いは、対象者は自身のオンライン個人プロファイルを作成すること、又は、他人の代わりにオンライン個人プロファイルを作成することができる。
【００１２】
グループは、各医療症例と関連付けられた診療記録を受信し、評価する。好ましい実施形態では、診療記録を受信、検索、ランク付け、分類、及び、区分することができるよう適用されたコンピュータプログラム製品を介して、対象者は複数の症例記録、画像、検査サンプルを本発明のシステムに提出することができる。或いは、グループメンバは、患者のために、複数の症例記録、画像、検査サンプルを収集することができる。グループは、診断に関連する情報を得るために、診療記録を系統的に整理、分類、区分、及び、検索することができる。コンピュータプログラム製品は、診断に関連する情報の診療記録を系統的に整理、分類、区分、及び、検索することができる。
【００１３】
本発明は、診療記録に基づいて医療供給者のデータベースを検索し、特定の症例に関して関連の専門知識を持つ有資格の医療提供者を、少なくとも一者又は集まりとして特定する。本発明は、国内で認識されている最善の医師及び／又は専門家の選択を可能にし、有資格の医療供給者の選択グループからの医療症例に関連付けられた全ての医療情報の包括的な分析を要請する。
【００１４】
更に、本発明のシステムと方法は、診療記録の解釈を要請する当事者及びその担当医師の双方に、症例に合わせて作られた専門家レポートを配布する。レポートは、診断と治療への提言を備える臨床ロードマップとしての役割も果たす。本発明によって提供されるチームは、また、進行を評価し、新たな問題に対処するため、主要な管理点で個人や家族とやりとりをする。担当医師は、症例に対して専門家の助言が提供する新しい洞察を歓迎する。患者と家族は、治療の選択に関して自信をもった決断ができ、ランク付けされた医師へのアクセスを有することで更に確信を持つことができる。プロセスは、個人と家族が利用可能な最高の治療を見つけることを確実にする、個人的で、実用的で、人道的な方法を備える。
【００１５】
更に、患者と家族は、医療システムまで自分自身で移動、又は、やりとりをしなくともよい。個人や家族は、自宅に居ながら必要な回答を受け取り、求める心の平静も得ることができる。本発明のこの局面は、医師不足、専門医師の制約、地理的隔離、距離、治療へのアクセスの制限、資源の制限、技術、及び、経済的課題に直面する状況において、最適な患者治療の提供に対する多くの障壁を緩和できる。本発明は、多くのコミュニティの必要性や、医療診断を受ける個人、及び、医療解釈を提供する医師の双方に迫る問題を理解し、対処するための包括的及び分析的アプローチを提供する。
【００１６】
診療記録の解釈を要請する
本発明のシステムと方法は、医療診断と治療計画に対する、有資格の医療提供者による詳細な解釈を提供する。医療解釈は、対象者の代わりに要請されてもよい。対象者は、例えば、高齢者、成人、青年、青年期前の子供、児童、幼児、乳幼児でもよい。
【００１７】
医療要請を解釈する方法は、本発明のシステムがコンピュータシステムによって対象者に関連付けられた診療記録を受信したときに、開始することができる。診療記録は、例えば、対象者がオンラインの個人医療プロファイルに情報を提供するときに、本発明によって受信されてもよい。対象者のオンラインの個人医療プロファイルは、例えば、診察及び検査結果、既往歴、担当医師による評価や治療方式などの複数の診療記録を備えることがある。いくつかの実施形態では、診療記録は予備的診断を備える。いくつかの実施形態では、診療記録は対象者からの医療要請を通して受け取られる。
【００１８】
コンピュータシステムは、診療記録に基づいて、医療供給者のデータベースを検索する。いくつかの実施形態では、検索によって複数の有資格の医療供給者が特定され、各有資格の医療供給者はランク付けされて最高ランクから最低ランクの順に有資格の医療供給者のランク付けされた一式が提供される。本発明のシステムと方法は、有資格の医療供給者による診療記録の解釈を要請し、有資格の医療提供者は各症例をじっくりと審査するための機会が与えられる。いくつかの実施形態では、有資格の医療提供者は、診療記録に関連する専門知識を有する。例えば、腰痛と戦ってきた対象者は、脊椎骨変性、椎間板の若干の突出、及び、境界域の神経変化を示す磁気共鳴イメージング（ＭＲＩ）を提供することができる。本発明のシステムと方法は、脊椎骨の不安定性が専門の神経外科医による診療記録の解釈を要請することができる。
【００１９】
医療供給者の医療に関する専門知識は、本発明のシステムと方法によって、医療提供者のデータベースを検索し、診療記録を解釈する資格のある少なくとも一者の有資格の医療供給者を特定するのに使用されうる。いくつかの実施形態では、要請された解釈は、医療提供者の専門知識の水準に基づいてランク付けされてもよい。例えば、息切れ、脚のむくみ、運動の耐久性がないといった症状を持つ対象者は、うっ血性心不全のリスクを疑うことができる。超音波心臓検査や血液検査が、担当医師によってうっ血性心不全の診断に使用されることがある。対象者の担当医師は、患者の心臓にペースメーカーや人工心臓などの医療用具を埋め込む手術を含む治療を提言することができる。手術を決定する前に、対象者はセカンドオピニオンを求めることができる。対象者は、本発明のシステムと方法を利用して、対象者の診療記録の解釈の要請を提出することができる。本発明は、例えば、心臓手術、一般的な心臓病学、及び、心臓電気生理学などの、解釈を提供するのに最低限必要な水準の専門知識に基づいて、解釈をランク付けすることができる。
【００２０】
いくつかの実施形態では、要請された解釈は、有資格の医療供給者及び少なくとももう一者の追加の医療供給者の間での仮想的協力体制に基づく。例えば、うっ血性心不全の診断を持つ対象者は、超音波心臓検査などの、診断と関連付けられた医療媒体を審査する有資格の心臓電気生理学の専門家と、この例ではペースメーカー又は人工心臓を埋め込む最良の外科的処置について専門家の意見を提供する心臓外科医との、仮想的協力体制を備える専門家の解釈を受け取ることができる。いくつかの実施形態では、有資格の医療供給者と追加の医療供給者は、互いに匿名である。
【００２１】
本発明の方法によって、診療記録の複数の解釈を評価することができる。診療記録の解釈は、例えば、解釈の要請に含まれる担当医師による第１の解釈でもよい。ある解釈は、例えば、本発明と関連付けられた少なくとも一者の有資格の医療供給者によって提供されてもよい。解釈は、例えば、本発明と関連付けられた複数の有資格の医療供給者によって提供されてもよい。いくつかの実施形態では、本発明によって、複数の有資格の医療供給者が特定され、複数のうちの各有資格の医療供給者はランク付けされて最高ランクから最低ランクの順に有資格の医療提供者のランク付けされた一式が提供される。
【００２２】
有資格の医師のランク付けされた一式を特定するために、複数のランク付け基準を使用することができる。例えば、本発明は、背部、頭部、頸部の衰弱性の変性を示すＭＲＩ記録を備える要請に基づいて、医療供給者のデータベースを検索することができる。本発明は、複数の神経外科医を有資格の医療供給者として特定できる。本発明は、経歴の長さ、要請に備えられる記録に類似したＭＲＩ記録についての神経外科医の熟知度、及び／又は、神経外科医の地理的位置に基づいて、神経外科医をランク付けできる。いくつかの実施形態では、診療記録の解釈の要請は、ランク付けされた一式の有資格の医療供給者に対して、最高ランクの有資格の医療供給者から順に問い合わせることを備える。いくつかの実施形態では、診療記録の解釈の要請は、ランク付けされた一式の有資格の医療供給者に対して、ランダムな順に問い合わせることを備える。
【００２３】
ランク付けした一式の医師を特定するために使用する基準は、診療記録中に直接又は間接的に見つけることができる。例えば、心臓の構造的奇形と診断された小児科の対象者は、解釈の要請と共に、心臓のコンピュータ断層撮影（ＣＴ）を備える診療記録を提供できる。本発明は診療記録を検索でき、また、本発明は、心臓ＣＴが心臓の解剖学的構造及び冠動脈循環を強調していることを注記することができる。本発明は、「心臓ＣＴ」及び「小児心臓病学」など、診療記録に直接見つけられる情報に基づいて、医療供給者のデータベースを検索することができる。本発明は、診療記録に間接的に見つかった情報に基づいて医療供給者のデータベースを検索することができ、例えば、本発明は、心臓ＣＴを備える診療記録に基づいて、有資格の医療供給者として「心循環系外科医」を検索することができる。
【００２４】
いくつかの局面では、本発明は身体状態の描写に基づいて、有資格の医師を特定するシステムと方法を提供する。いくつかの実施形態では、本発明は、診療記録の情報に基づいて医療資源のデータベースを検索することを更に備え、それによって、関連資源を特定し、要請された解釈の要請の際に、関連医療資源を有資格の医療供給者に提供する。
【００２５】
本発明のシステムと方法は、複数の有資格の医療供給者から、複数の要請した解釈を受け取ることができる。複数の基準を組み合わせて、診療記録の解釈のランキングを提供することができる。本発明は、例えば、解釈を提供する医師の資格に基づいて、提案された治療として手術を提言する解釈の全てをランク付けすることができる。本発明は、例えば、診療記録の要請された解釈が有資格の医療供給者から受信された順番に基づいて、解釈の全てをランク付けすることができる。
【００２６】
本発明のシステムと方法は、複数の有資格の医療供給者からの複数の解釈を要請することができる。有資格の供給者は、診療記録の解釈提供の要請を受け入れることができる。有資格の供給者は、診療記録の解釈提供の要請を拒否できる。本発明は、例えば、少なくとも一者の他の有資格の医療供給者が要請に対して肯定的に返答した後に、ある有資格の医療供給者からの診療記録の解釈を要請することができる。
【００２７】
対象者、医師、看護師、診療記録の専門家、又は、監理担当官は、有資格の医療供給者によって提供された解釈についてセカンドオピニオンを求めることができる。いくつかの実施形態では、診療記録の解釈の要請方法は、解釈のランキングに関するセカンドオピニオンを医師に請求することを更に備える。
【００２８】
いくつかの実施形態では、認証されたユーザに、本発明によって提供された解釈のランキングへのアクセスを許可することができる。システムのユーザは、例えば、対象者の後見人、医療供給者、担当医師、専門家、家族の一員、友人、又は対象者本人であってもよい。
【００２９】
診療記録の解釈は、例えば、診断、治療の提示、既存の診断の審査、セカンドオピニオンの診断としての治療の提示の審査、専門家への紹介、及び／又は、専門家による臨床例の審査を備えることができる。
【００３０】
仮想医療システム
本発明のもう一つの局面は、仮想医療システムを提供するための方法に関する。仮想医療システムは、有資格の医療供給者が、関連付けられた臨床例を管理し、及び／又は、臨床例に関連付けられ、医師グループに参加し、専門家のネットワーキンググループに参加し、ピアによって共有される注意すべき症例のライブラリにアクセスできる、オンラインのコミュニティを備えることができる。仮想医療システムは、仮想医療システムを提供することを備える方法を実装するために実行するよう適用されたコンピュータ実行可能なコードを有する、コンピュータ判読可能な媒体を備えることができる。
【００３１】
仮想医療システムは、入力モジュール、複数の異なる構造で構成され、複数の医療供給者を備える複数のデータベース、検索モジュール、ランク付けモジュール、要請モジュール、及び、出力モジュールを備えることができる。いくつかの実施形態では、仮想医療システムは、医師のオンラインコミュニティを備える。いくつかの実施形態では、オンラインコミュニティは、医師のサブセットを備える。
【００３２】
医療供給者は、オンラインの医師のコミュニティにアクセスできる（図１、１００）。有資格の医師は、例えば、ウェブサイト１０１を閲覧するのに好ましい言語を選択することができる。有資格の医師は、症例１０２を管理し、医師グループ１０３を閲覧、及び、医師グループ１０３に参加し、注目すべき医療症例１０４を集めたライブラリを閲覧、及び、ライブラリに参加するためのリンクにアクセスできる。
【００３３】
仮想医療システムの中でオンラインの医師コミュニティと関連付けられる医療供給者は、図２、２０１に図示される専門家のオンラインプロファイルによって、本発明のシステムの中で特定されうる。専門家のオンラインプロファイルは、専門家の名２０２ａ、専門家の姓２０２ｂ、専門家のｅメールドレスと電話番号２０２ｃ、専門家の専門分野２０２ｄ、専門家の下位専門領域２０２ｅ、主治医、医局長、又は、執刀医といった専門家の肩書きなどの専門家の職階２０２ｆ、病院又は個人診療所との専門家の提携など、専門家の提携先２０２ｇ、専門家の職務上好ましい住所の地図２０２ｈ、専門家の関わる慈善活動２０２ｉ、及び、専門家によって提供される追加情報２０２ｊなどの情報を備えることができる。
【００３４】
本発明のシステムと方法は、オンラインの対象者プロファイルに掲載するための個人健康情報を受け取ることができる。対象者の個人健康情報は、対象者の一般情報、既往歴、通院歴、罹患中の疾病の情報、及び、対象者の最近の活動に関連付けられた関連情報を備えることができる。個人健康情報の例は、年齢、性別、血液型、家族健康歴、身長、体重、食習慣、ＢＭＩ、糖尿病（ＤＭ）と糖尿病前症のリスク、家族健康歴、前高血圧（ＨＴＮ）のリスク、最高血圧及び最低血圧の測定値、塩分摂取量、尿沈渣、蛋白尿、血液尿素窒素、クレアチニンレベル、カルシウムレベル、甲状腺刺激ホルモン（ＴＳＨ）レベル、血中グルコース、ＨＤＬ及びＬＤＬコレステロールレベル、中性脂肪、ヘマトクリット、心電図、及び/又は、胸部Ｘ線、メタボリックシンドローム、高脂血症、感染のリスク、免疫システムの低下、循環不全、皮膚の完全性不全、接触感染媒体との繰り返しの接触、癌検診、ＣＡＴスキャン、及び、ＭＲＩを含むが、これらに限られない。
【００３５】
対象者は、定期的に、仮想医療システム内の対象者のオンラインの個人医療プロファイルに寄与することができる。対象者は、例えば、オンラインプロファイルにアクセスし、症状など、医療解釈の要請に関連した情報を更新することができる。対象者は、例えば、オンラインプロファイルにアクセスし、最新の医療ファイルをアップロードすることができる。
【００３６】
本発明のシステムと方法は、対象者のオンラインプロファイルに関連付けられた診療記録の解釈の要請を受け取ることができる。仮想医療システムは、複数の有資格の医療供給者に、受け取った診療記録の解釈の要請を関連付けることができる。仮想医療システムは、診療記録に提供された情報との関連度合いに基づいて、有資格の医療供給者の一覧をランク付けすることができる。関連度合いは、例えば、役員資格、手術の専門的技術、専門分野、経歴の長さ、ピア内での評判、業績などの診療記録の解釈に必要な職業資格の一式であってもよい。仮想医療システムは、例えば、緊急、時間厳守、重要、重要度が低い、複数の専門分野を要する、などのように要請のランキングを優先順位付けすることができる。
【００３７】
本発明の仮想医療システムは、医療資源のデータベース及び医療資源の検索モジュールを有資格の医療供給者に提供する。仮想医療システムは、有資格の医療供給者からの医療解釈を要請するための効果的な方法を備えることができる。仮想医療システムは、対象者のオンラインプロファイル内に備えられた情報に基づいて、対象者によって提出された医療解釈の要請を分類し、関連付けることができる。仮想医療システムは、例えば、医療供給者のサブセットと関連付けられた専門分野又は地理的場所に基づいて、医療供給者のサブセットを解釈の要請に関連付けることができる。本発明の仮想医療システムは、例えば、医療供給者の資格（役員資格を含む）、専門分野、経歴の長さ、ピア内の評判、及び、業績に関して、複数の医療供給者をランク付けすることができる。
【００３８】
仮想医療システムは、医療解釈の要請に備えられた情報に基づいて、情報と関連付けられた医療供給者のサブセットを特定するデータベースを検索することができる。いくつかの実施形態では、医療提供者のサブセット中の医療提供者は、例えば、仮想コミュニティのメンバによる紹介、新しい医療解釈の要請の中で関連付けられた診療記録に類似した診療記録を供給者が審査した症例の数、及び／又は、提携病院に基づいて特定できる。いくつかの実施形態では、医療供給者のサブセット中の医療供給者は、専門分野に基づき、独立して情報と関連付けられている。例えば、血液学者は、医療供給者のサブセットを備えるデータベース内で、血液疾患の治療に関連する専門知識を持つ医師として特定されることがある。
【００３９】
本発明のシステムは、複数の構成によって構築され、複数の異なるデータ管理システムによってサポートされる、複数の医療資源のデータベースを検索することができる。複数のデータ管理システムは、例えば、ａ）グラフデータベース、ｂ）ハイパーメディアデータベース、ｃ）ハイパーテキストデータベース、ｄ）インメモリデータベース、ｅ）文書指向又は半文書指向のデータを記憶、読み出し、管理し、例えば、本発明のシステムは文書指向のデータベースから対象者の既往歴にアクセスできる、文書指向データベースｆ）データベースとデータ管理システムが遠隔に位置する、クラウドデータベース、ｇ）運用データベースからのデータをアーカイブし、データウェアハウスに送られる途中で変換可能で、要約され、再区分される、データウェアハウス、ｈ）データベース内外の状態にリアルタイムに応答できるアクティブデータベース、ｉ）多数のサイトで共有されるモジュールを含みうる複数モジュールと、例えば、局所の医療グループ、地域病院の科、分院、その他の病院管理の場所など、一つのサイトに特異のモジュールでそのサイトのみでローカルに使用されるモジュールと、を含む分散データベース、ｊ）データベース管理システムがアプリケーションのエンドユーザからは隠された方法で記憶されたデータにアクセスすることを要求するアプリケーションソフトウェアに、密接に統合されたデータベース管理システムであり、例えば、本発明はデータベース管理システムである診療記録プラットフォームから診療記録を受け取ることができる、組み込みデータベース、ｋ）例えば、対象者によって発展された、文書、表計算、プレゼンテーション、マルチメディア、その他のファイルの集まりなど、各エンドユーザによって発展されたデータからなる、エンドユーザデータベース、ｌ）連結データベースはそれぞれが独自のデータ管理システムを有するいくつかの別々のデータベースからなる統合データベースである、連結データベース及び多次元データベース、ｍ）例えば、問題及び関連経験の集まりを表すデータなど、コンピュータ処理された知識の収集、整理、読み出しのためのツールを提供する、知識ベースデータベース、ｎ）医療媒体を含む比較的高容量な更新を処理する、運用データベース、ｏ）多次元の特徴を含むデータを記憶できる、空間データベース、ｐ）例えば、適用時間及び行動発生時間など、組み込みの時間の局面を含む、時制データベース、及び、ｑ）例えば、ｅメールメッセージ、文書、ジャーナル、マルチメディアオブジェクトなど、共通のデータベースにそのまま簡単には当てはまらない多様なオブジェクトを管理可能で保護された様式で記憶するよう構築された、非構造化データベースを含む。
【００４０】
仮想医療システムは、医療解釈の要請に備えられた情報に基づいて、要請と関連付けられた複数の医療供給者をランク付けすることができる。仮想医療システムは、医療解釈の要請に備えられた情報に基づいて、有資格の医療供給者によって提供された複数の解釈をランク付けすることができる。いくつかの実施形態では、本発明のシステムは、有資格の医療供給者のランク付けされた一式を、提供された解釈のランク付けされた一式に相関させることができる。
【００４１】
本発明のシステムと方法は、診療記録、及び、診療記録の要請された解釈へのアクセスを、本発明の仮想医療システムを介して、医師のオンラインコミュニティに提供することができる。
【００４２】
医療供給者
有資格の医療供給者は、例えば、鍼師、中毒の精神科医、青年期医学の専門医、アレルギー専門医、免疫学者、逆症療法医師、解剖病理学および臨床病理学の専門医、解剖病理学の専門医、麻酔科医、アスレチックトレーナー、聴覚訓練士、アーユルヴェーダ医学の専門医、肥満症専門医、肥満手術の専門医、血液銀行輸血医療の専門医、心臓電気生理学者、心臓外科医、心臓手術の専門医、心臓専門医、認定された糖尿病教育者、認定看護助手、化学病理学者、中国医学の専門医、カイロプラクター、臨床および実験免疫学の専門医、臨床生化学的遺伝学の専門医、臨床心臓電気生理学の専門医、臨床細胞遺伝学の専門医、臨床遺伝学専門医、臨床リピドロジの専門医、臨床神経生理学の専門医、臨床専門看護師、臨床病理学の専門医、結腸および直腸の専門医、大腸外科医、検死官、カウンセラー、救命医療、救命手術、細胞病理学者、細胞検査技師、歯科衛生士、歯科医師、皮膚科医、皮膚病理学医、発達小児科医、糖尿病専門医、栄養士、耳鼻咽喉専門医、救急医療技術者、救急医療の専門医、内分泌科医、歯内治療医、視能訓練士、家庭医、不妊治療の専門医、法医学病理医、法医学精神科医、胃腸科医、消化器外科医、遺伝学者、遺伝カウンセラー、老年医学の専門医、老人精神科医、婦人科医、婦人科腫瘍医、聴覚/言語の専門家、血液学者、肝臓専門医、ホリスティック医学の専門医、ホスピスケアと緩和医療専門医、ホメオパシー専門医、免疫学者、免疫病理学医、感染症専門医、内科医、虹彩学者、運動療法士、喉頭医、顎顔面外科医、医療助手、医療審査官、遺伝医学、腫瘍内科医、医療毒物学者、助産師、分子遺伝学的病理学者、精神衛生専門医、周産期新生児専門医、腎臓専門医、神経科医、神経放射線科医、神経外科医、核医学専門医、看護師、実地看護師、産科医、腫瘍医、眼科医、検眼医、口腔病理専門医、口腔外科医、歯科矯正医、整形外科専門医、耳鼻咽喉科医、耳科医、疼痛管理の専門医、病理医、小児科医、パフュージョニスト、歯周病専門歯科医、理学療法士、形成外科医、足病医、肛門科医、補綴専門医、精神科医、公衆衛生の専門医、呼吸器科医、放射線科医、生殖内分泌医及び不妊専門医、リウマチ専門医、鼻科医、睡眠障害の専門医、音波検査者、音声専門家、外科医、胸部専門医、移植専門医、女性泌尿器科医、泌尿器科医、血管専門医、及び、血管外科医を含むことがある。
【００４３】
診療記録
本発明は、診療記録の解釈を要請するシステムと方法に関連する。いくつかの実施形態では、対象者と関連付けられた診療記録がコンピュータシステムによって受信され、コンピュータシステムが診療記録の中の情報を利用して医療供給者のデータベースを検索する。
【００４４】
診療記録は対象者の医療情報を記載した一つの文書又は文書の編さん物を備えることがある。診療記録は、一定期間における対象者の完全な既往歴と治療を備えるか、又は、診療記録は、患者の既往歴中の一つの出来事を備えることがある。診療記録には、大きな及び小さな疾病、手術歴、分娩歴、投薬、薬へのアレルギー、家族健康歴、社会歴、習慣、予防接種歴、成長及び発達歴が記載されることがある。
【００４５】
対象者の診療記録は、対象者の生誕から今まで何があったかの既往歴を意味することがある。例えば、既往歴は、疾病の記録、大きい又は小さい疾病、及び／又は、成長における顕著な出来事でもよい。診療記録には、主訴、現病歴、身体検査、臨床例の評価、及び、身体状態を治療するために提案された行動計画が記載されてもよい。いくつかの実施形態では、本発明のシステムと方法によって受信される診療記録は、予備的診断を備える。いくつかの実施形態では、診療記録の解釈は、診断を提供するための記録の審査を備える。
【００４６】
対象者の既往歴は、手術歴も含むことがある。手術歴は、例えば、手術日、手術報告書、及び／又は、外科医の処置の詳細な説明など、対象者に行われた手術を記載することがある。
【００４７】
既往歴は、分娩歴を備えることがある。分娩歴は、過去の妊娠、妊娠の結果、及び／又は、妊娠合併症を備えることがある。いくつかの実施形態では、既往歴は、例えば、対象者の現在及び過去の投薬、及び／又は、薬へのアレルギーなど、投薬及び薬へのアレルギーを備えることがある。
【００４８】
いくつかの実施形態では、既往歴は家族健康歴を備えることがある。家族健康歴は、例えば、対象者の家系に共通した、又は、一方の性別のみによく見られる死因、疾病、及び／又は、家系図など、近親家族の健康状態の一つ以上の一覧を備えることがある。
【００４９】
いくつかの実施形態では、既往歴は社会歴を備えることがある。社会歴は、例えば、対象者の交友関係、対象者の経歴、訓練、通学、及び／又は、宗教的訓練など、対象者の対人関係の一つ以上の時系列の記録を備えることがある。いくつかの実施形態では、社会歴は、特定の疾病に対して対象者が期待できるコミュニティ関係支援についての情報を提供することができ、一つ以上の疾病または喪失に関連した対象者の一つ以上の行動を説明できる情報を提供することができ、及び／又は、例えば、アスベストへの職業的暴露など、一つ以上の疾病の一つ以上の原因の決定を補助する情報を提供することができる。いくつかの実施形態では、既往歴は対象者の健康に影響を与える習慣を備えることがある。健康に影響を与える習慣は、例えば、喫煙、飲酒、運動、食事、性的習慣、及び／又は、性的指向を備えることがある。いくつかの実施形態では、既往歴は予防接種歴を備えることがある。予防接種歴は、対象者のワクチン接種の履歴、及び／又は、免疫データを提供する血液検査を備えることがある。
【００５０】
いくつかの実施形態では、既往歴は、一つ以上の成長曲線及び発育歴を備えることがある。例えば、対象者が児童又はティーンエイジャーの場合、成長曲線及び発育歴は、対象者の成長、及び／又は、同年齢のその他の対象者のデータとの比較を記載した一つ以上のチャートを備えることがある。いくつかの実施形態では、多くの疾病及び社会的ストレスが対象者の成長及び発育に影響することがあるため、成長曲線及び発育歴は疾病の原因の情報を提供することがある。いくつかの実施形態では、成長曲線及び発育歴は、例えば、話すタイミング、及び／又は、歩くタイミング、及び／又は、同年齢のほかの児童との比較など、児童の行動に関する情報を備えることがある。
【００５１】
薬局診療記録（ＰＭＲ）は、対象者の薬歴に関連する記録に関することがある。いくつかの実施形態では、薬歴は、例えば、服用情報、対象者が処方を受けている期間、及び、対象者の現在の処方計画との組み合わせで悪い副作用を生じることが知られているその他の薬品など、対象者の処方歴、現在の処方計画、及び、副作用情報を備えることがある。
【００５２】
電子診療記録（ＥＭＲ）は、対象者の医者、臨床医、保険会社、病院、及び／又は、対称者が患者であるその他の施設によって取得及び記憶された記録に関連することがある。いくつかの実施形態では、医療供給者は、医師、歯科医師、検眼医、療法士、カイロプラクター、及び、対象者に医療サービスを提供するいずれかの者を含むことがある。電子診療記録（ＥＭＲ）は、例えば、ＣＡＴスキャン、ＭＲＩ、超音波、血糖値、診断、アレルギー、室内実験の結果、心電図、投薬、日足チャート、投薬管理、フィジカルアセスメント、入院看護記録、看護計画、紹介状、現在と過去の症状、既往歴、生活様式、身体検査の結果、検査、処置、治療、投薬、退院、現病歴、日記、問題、発見、予防接種、入院時診療記録、診察記録、経過記録、術前記録、手術記録、術後記録、処置記録、分娩記録、産後記録、及び、退院記録を備えることがある。
【００５３】
いくつかの実施形態では、診療記録の専門家の審査のデータ配送は、『医療保険の携行性と責任に関する法律』（ＨＩＰＡＡ）の基準に適合している。
【００５４】
いくつかの実施形態では、本発明によって受け取られる診療記録は、診療記録にアクセスできるオンラインのコミュニティを備える仮想医療システム内のピアレビューのために、利用可能にされてもよい。仮想医療システムは、医療資源のデータベース及び医療資源検索モジュールを備えることがある。腫瘍医のグループなどのより広範な医師グループ、及び、神経外科的腫瘍医のグループなどの医師のサブセットを含む有資格の医療供給者は、本発明のオンラインコミュニティ内のオンラインのポータルにアクセスできてもよい。オンラインのポータルは、医療供給者に、医療資源のデータベース、コミュニティ内の注目症例のライブラリ、同僚のオンラインコミュニティへのアクセス、及び、供給者が関連付けられた医療症例に関連する診療記録へのアクセスを提供することができる。
【００５５】
いくつかの実施形態では、仮想医療システム内のオンラインコミュニティは、更に、医療撮像モジュールを備える。医療撮像モジュールは、例えば、医師、看護師、及び、専門家に、診療記録と関連付けられた医療画像へのアクセスを提供することができる。医療撮像モジュール内の医療画像は、医療媒体の既存の読み又は解釈を説明する少なくとも一つのテキスト記述に関連付けられることがある。医療画像から、医療媒体の過去のいずれかの読み又は解釈が消去されてもよい。
【００５６】
いくつかの局面では、本発明は、身体状態の説明を備える診療記録を理解するためのシステムと方法を備える。例えば、ある臨床例について明確で、論理的で、事実に基づいた、包括的説明を提供する有資格の医師は、同じ症例に関して、又は、類似した症例に関して更に問い合わせられることがある。いくつかの実施形態では、有資格の医療供給者から、診療記録の要請された解釈を受けると、発明のコンピュータシステムは、有資格の医療供給者を、身体症状と関連付けられた更なる医療要請を受け取るためのキューに入れる。
【００５７】
医療診断
医療診断は、可能性のある疾病、障害、又は身体症状を決定する試み、又は、特定する試みのプロセスと、このプロセスによって達成される診断意見の両方を意味することがある。医療診断は連続性の異常度合い示すことがある、又は、医療診断は分類中の異常を示すことがある。医療診断は、患者の診療記録の簡単な概要、又は、詳細な評価を備えることがある。医療診断は、手術を好ましい治療の選択肢として必要とする身体症状を記載することがある。
【００５８】
医療診断は、例えば、罹患した人に、疼痛、不規則性、機能障害、身体的、感情的、又は精神的苦痛、社会的問題、及び／又は、死を引き起こすいずれかの疾病、症候群、又は、身体症状を意味することがある。身体状態は、怪我、障害、不調、症候群、感染症、分離した症状、逸脱行動、正常な細胞構造と機能からの非定型の変化、正常な身体構造と機能からの非定型の変化、病原性疾患、不全疾患、遺伝性疾患、および生理学的疾患を含むことがある。
【００５９】
医療診断は、疾病、傷害、機能障害、又は、障害に命名することを備えることがある。医療診断は、管理の命名、又は、予後の命名の実施であってもよい。医療診断は、不確かで暫定的となることがある。いくつかの実施形態では、医療診断は、診療記録の解釈の中に備えられている。医療診断は、例えば、対象者に治療介入の提示を提供することがある。
【００６０】
医療診断は、例えば、癌のことがある。本発明のシステムによって診療記録に関連付けられうる癌の例は、急性リンパ芽球性白血病、急性骨髄性白血病、副腎皮質癌、ＡＩＤＳ関連の癌、ＡＩＤＳ関連リンパ腫、肛門癌、虫垂癌、星状細胞腫、基底細胞癌、胆管癌、膀胱癌、骨癌、小脳星細胞腫、大脳星細胞腫／悪性神経膠腫、上衣腫、髄芽腫、テント上原始神経外胚葉性腫瘍、視覚路グリオーマ、及び、視床下部グリオーマなどの脳腫瘍、乳癌、気管支腺腫、バーキットリンパ腫、原発不明の癌腫、中枢神経系リンパ腫、小脳星細胞腫、子宮頸癌、小児癌、慢性リンパ性白血病、慢性骨髄性白血病、慢性骨髄増殖性疾患、結腸癌、皮膚Ｔ細胞リンパ腫、線維形成性小円形細胞腫瘍、子宮内膜癌、上衣腫、食道癌、ユーイング肉腫、胚細胞腫瘍、胆嚢癌、胃癌、消化管カルチノイド腫瘍、消化管間質腫瘍、神経膠腫、ヘアリーセル白血病、頭頸部癌、心臓癌、肝細胞（肝臓）癌、ホジキンリンパ腫、下咽頭癌、眼内黒色腫、膵島細胞癌、カポジ肉腫、腎臓癌、喉頭癌、口唇および口腔癌、脂肪肉腫、肝癌、非小細胞及び小細胞肺癌などの肺癌、リンパ腫、白血病、マクログロブリン血症、骨／骨肉腫の悪性線維性組織球腫、髄芽腫、メラノーマ、中皮腫、潜在性転移性扁平上皮頸部癌、口部癌、多発性内分泌腫瘍症候群、骨髄異形成症候群、骨髄性白血病、鼻腔及び副鼻腔癌、上咽頭癌、神経芽細胞腫、非ホジキンリンパ腫、非小細胞肺癌、口の癌、口腔咽頭癌、骨肉腫／骨の悪性線維性組織球腫、卵巣癌、卵巣上皮癌、卵巣胚細胞腫瘍、膵臓癌、膵臓癌膵島細胞、副鼻腔および鼻腔癌、副甲状腺癌、陰茎癌、咽頭癌、褐色細胞腫、松果体星細胞腫、松果体胚細胞腫、下垂体腺腫、胸膜肺芽、形質細胞新生物、原発性中枢神経系リンパ腫、前立腺癌、直腸癌、腎細胞癌、腎盂と尿管移行上皮癌、網膜芽細胞腫、横紋筋肉腫、唾液腺癌、肉腫、皮膚癌、皮膚癌のメルケル細胞、小腸癌、軟部組織肉腫、扁平上皮癌、胃の癌、Ｔ細胞リンパ腫、咽頭癌、胸腺腫、胸腺癌、甲状腺癌、栄養膜腫瘍（妊娠性）、原発部位不明の癌、尿道癌、子宮肉腫、膣癌、外陰癌、ヴァルデンストレームマクログロブリン血症、及び、ウィルムス腫瘍を含むがこれらに限られない。
【００６１】
医療診断は、例えば、遺伝性疾患を特定できる。遺伝性疾患の例は、診断未確定の身体状態、嚢胞性線維症、デュシェンヌ型筋ジストロフィー、ヘモクロマトーシス、テイ・サックス病、プラダー・ウィリー症候群、アンジェルマン症候群、神経線維腫症、フェニルケトン尿症、カナバン病、小児脂肪便症、１型ゴーシェ病、ゴーシェ病、シャルコー・マリー・トゥース病、色覚異常、ネコなき症候群、腎嚢胞、尖頭症、家族性大腸腺腫症、副腎疾患、筋萎縮性側索硬化症（ＡＬＳ）、アルツハイマー病、パーキンソン病、貧血、運動失調、毛細血管拡張性運動失調、自閉症、骨髄疾患、ボンネヴィー・ウルリッヒ症候群、脳疾患、フォンヒッペル・リンダウ病、先天性心疾患、クローン病、認知症、筋緊張性ジストロフィー、ファブリー病、脆弱Ｘ症候群、ガラクトース血症、遺伝性肺気腫、網膜芽細胞腫、ペンドレッド症候群、アッシャー症候群、ウィルソン病、神経障害、ハンチントン病、免疫系疾患、痛風、Ｘ連鎖性球脊髄性筋収縮症、学習障害、リー・フラウメニ症候群、１型高リポ蛋白血症、ルー・ゲーリック病、マルファン症候群、代謝性疾患、ニーマン・ピック病、ヌーナン症候群、骨脆弱症、ポイツ・イェガース症候群、ファイファー症候群、ポルフィリン症、早老症、レット症候群、結節性硬化症、スピーチ・コミュニケーション障害、脊髄性筋萎縮症、トリーチャー・コリンズ症候群、トリソミー、及び、モノソミーを含むがこれに限られない。
【００６２】
コンピュータ構成
各種コンピュータ構成が本発明での使用に適する。図３は、本発明の実施形態例に関連して使用されうる、コンピュータシステム３００の第１の構成例を説明するブロック図である。図３に図示されるように、コンピュータシステムの例は、命令を処理するプロセッサ３０２を含むことがある。プロセッサの例は、Ｉｎｔｅｌ  Ｃｏｒｅｉ７（商標）プロセッサ、Ｉｎｔｅｌ  Ｃｏｒｅｉ５（商標）プロセッサ、Ｉｎｔｅｌ  Ｃｏｒｅｉ３（商標）プロセッサ、Ｉｎｔｅｌ  Ｘｅｏｎ（商標）プロセッサ、ＡＭＤ  Ｏｐｔｅｒｏｎ（商標）プロセッサ、Ｓａｍｓｕｎｇ  ３２ビットＲＩＳＣ  ＡＲＭ  １１７６ＪＺ（Ｆ）−Ｓ  ｖ１．０（商標）プロセッサ、ＡＲＭ  Ｃｏｒｔｅｘ−Ａ８  Ｓａｍｓｕｎｇ  Ｓ５ＰＣ１００（商標）プロセッサ、ＡＲＭ  Ｃｏｒｔｅｘ−Ａ８  Ａｐｐｌｅ  Ａ４（商標）プロセッサ、Ｍａｒｖｅｌｌ  ＰＸＡ９３０（商標）プロセッサ、または機能的に同等のプロセッサを含むがこれに限られない。並列処理のために、マルチスレッドが実行されてもよい。いくつかの実施形態では、単一のコンピュータシステム内、クラスタ内、又は、複数のコンピュータ、携帯電話、及び／又は、携帯情報端末を備えるネットワーク上に分散された、マルチプロセッサ又はマルチコアのプロセッサを使用することができる。
【００６３】
図３に図示されるように、高速キャッシュ３０１がプロセッサ３０２に接続又は組み込まれ、プロセッサ３０２によって最近使用された、又は、頻繁に使用される命令又はデータのための高速メモリを提供することができる。プロセッサ３０２は、プロセッサバス３０５によってノースブリッジ３０６に接続される。ノースブリッジ３０６は、メモリバス３０４によってランダムアクセスメモリ（ＲＡＭ）３０３に接続され、プロセッサ３０２によるＲＡＭ３０３へのアクセスを管理する。ノースブリッジ３０６は、また、チップセットバス３０７によってサウスブリッジ３０８に接続される。サウスブリッジ３０８は、同様に、周辺バス３０９に接続する。周辺バスは、例えば、ＰＣＩ、ＰＣＩ−Ｘ、ＰＣＩ  Ｅｘｐｒｅｓｓ、又は、その他の周辺バスでもよい。ノースブリッジとサウスブリッジは、しばしばプロセッサチップセットと呼ばれ、プロセッサ、ＲＡＭ、及び、周辺バス３０９上の周辺構成要素間のデータ転送を管理する。いくつかの構成では、別体のノースブリッジチップを使用する代わりに、ノースブリッジの機能がプロセッサに組み込まれてもよい。
【００６４】
いくつかの実施形態では、システム３００は、周辺バス３０９に取り付けられたアクセラレータカード３１２を含むことができる。アクセラレータは、フィールドプログラマブルゲートアレイ（ＦＰＧＡ）、又は、特定の処理を高速化するその他のハードウェアを含んでもよい。
【００６５】
ソフトウェアとデータは外部記憶装置３１３に記憶され、ＲＡＭ３０３、及び／又は、キャッシュ３０１にロードされて、プロセッサによって使用されることができる。システム３００は、システム資源を管理するためのオペレーティングシステムを含む。オペレーティングシステムの例は、Ｌｉｎｕｘ、Ｗｉｎｄｏｗｓ（商標）、ＭＡＣＯＳ（商標）、ＢｌａｃｋＢｅｒｒｙ  ＯＳ（商標）、ｉＯＳ（商標）、及び、その他の機能的に同等なオペレーティングシステム、及び、オペレーティングシステムで稼動するアプリケーションソフトウェアを含むがこれらに限られない。
【００６６】
この例では、システム３００は、ネットワーク接続ストレージ（ＮＡＳ）、及び、分散された並列処理に使用されうるその他のコンピュータシステムなど、外部記憶装置にネットワークインタフェースを提供するための、周辺バスに接続したネットワークインタフェースカード（ＮＩＣ）３１０及び３１１も含む。
【００６７】
図４は、複数のコンピュータシステム４０２ａ及び４０２ｂ、複数の携帯電話及び携帯情報端末４０２ｃ、及び、ネットワーク接続ストレージ（ＮＡＳ）４０１ａ及び４０１ｂを有するネットワーク４００を示す図である。いくつかの実施形態では、システム４０２ａ、４０２ｂ及び４０２ｃは、データ記憶装置を管理し、ネットワーク接続ストレージ（ＮＡＳ）４０１ａ及び４０２ｂに記憶されたデータへのデータアクセスを最適化することができる。データには、数理モデルを使用することができ、コンピュータシステム４０２ａ及び４０２ｂ、及び、携帯電話及び携帯情報端末４０２ｃに渡る分散並行処理によって評価できる。コンピュータシステム４０２ａ及び４０２ｂ、及び、携帯電話及び携帯情報端末４０２ｃは、ネットワーク接続ストレージ（ＮＡＳ）４０１ａおよび４０１ｂに記憶されたデータの適応的データ再構成のためにも並行処理を提供できる。図４は、例示のみであり、その他の多様なコンピュータ構成及びシステムが、本発明の各種実施形態と合わせて使用されうる。例えば、ブレードサーバは並行処理を提供するのに使用できる。プロセッサブレードは、パラレル処理を提供するために、バックプレーンを介して接続できる。記憶装置は、また、バックプレーンに接続することができ、又は、ネットワーク接続ストレージ（ＮＡＳ）として別のネットワークインタフェースを介して接続することができる。
【００６８】
いくつかの実施形態では、プロセッサは別のメモリ空間を維持し、他のプロセッサによる並列処理のために、ネットワークインタフェース、バックプレーン、又は、他のコネクタを介してデータを送信することができる。いくつかの実施形態では、一部又は全てのプロセッサが、共有された仮想アドレスメモリ空間を使用することができる。
【００６９】
図５は、共有された仮想アドレスメモリ空間を使用したマルチプロセッサコンピュータシステムのブロック図である。システムは、共有されたメモリサブシステム５０２にアクセスできる複数のプロセッサ５０１ａ〜５０１ｆを含む。システムは、メモリサブシステム５０２内に、複数のプログラム可能なハードウェアメモリアルゴリズムプロセッサ（ＭＡＰ）５０３ａ〜５０３ｆを組み込んでいる。各ＭＡＰ５０３ａ〜５０３ｆは、メモリ５０４ａ〜５０４ｆ及び一以上のフィールドプログラマブルゲートアレイ（ＦＰＧＡ）５０５ａ〜５０５ｆを備えることがある。ＭＡＰは、設定可能な機能ユニットを提供し、各プロセッサと密接に連携して処理を行うために、特定のアルゴリズム、又は、アルゴリズムの一部をＦＰＧＡ５０５ａ〜５０５ｆに提供できる。この例では、これらの目的のために、各ＭＡＰは全てのプロセッサからグローバルにアクセス可能である。一構成では、各ＭＡＰは関連付けられたメモリ５０４ａ〜５０４ｆにダイレクトメモリアクセス（ＤＭＡ）でアクセスすることができ、これによって、各マイクロプロセッサ５０１ａ〜５０１ｆとは独立して、及び、非同期的にタスクを実行することが可能になる。この構成では、アルゴリズムをパイプライン方式で並列実行するために、ＭＡＰは別のＭＡＰに対して直接結果を与えることができる。
【００７０】
上記コンピュータ構成及びシステムは、例示のみであり、汎用プロセッサ、コプロセッサ、ＦＰＧＡ及びその他のプログラマブルロジックデバイス、システムオンチップ（ＳＯＣ）、特定用途向け集積回路（ＡＳＩＣ）、及び、その他の処理及び論理要素、の任意の組み合わせを用いたシステムを含む、多様な種類のその他のコンピュータ、携帯電話、及び携帯情報端末の構成とシステムが実施形態例に関連して使用されうる。ランダムアクセスメモリ、ハードドライブ、フラッシュメモリ、テープドライブ、ディスクアレイ、ネットワーク接続ストレージ（ＮＡＳ）、及び、その他のローカル又は分散型のデータ記憶媒体及びシステム、を含む任意の種類のデータ記憶媒体が、実施形態例との関連で使用されることがある。
【００７１】
実施形態例では、コンピュータシステムは、上記のいずれか又はその他のコンピュータ構成及びシステムの上で実行するソフトウェアモジュールを用いて実装されうる。他の実施形態では、システムの機能は部分的に又は完全に、ファームウェア、図５に参照されるようなフィールドプログラマブルゲートアレイ（ＦＰＧＡ）などのプログラマブルロジックデバイス、システムオンチップ（ＳＯＣ）、特定用途向け集積回路（ＡＳＩＣ）、及び、その他の処理及び論理要素内で実装されうる。例えば、セットプロセッサ及びオプティマイザは、図３に図示されるアクセラレータカード３１２などの、ハードウェアアクセラレータカードを使用することで、ハードウェアアクセラレーションを実装できる。
【００７２】
実施例
実施例１：診療記録の解釈を要請する
対象者は、担当医師によって、対象者の身体状態に対する治療方針の提案が伝えられる。対象者はセカンドオピニオンを求め、対象者は本発明のオンラインプラットフォームにアクセスする。対象者は、本発明のオンラインプラットフォーム内で対象者のプロファイルを作成し、対象者は、対象者の症例媒体を含む、対象者の電子診療記録をアップロードする。対象者は、本明細書に記載の発明に対して、アップロードした診療記録の解釈の要請を提出する。
【００７３】
本発明のシステムと方法は、要請を受信し、選択されたグループメンバを症例のための専任の窓口支援提携者として割り当てる。本発明のコンピュータプログラム商品は、対象者のアップロードされた診療記録に基づいて、診療記録の解釈を提供するのに習熟した有資格の医療専門家を備える有資格の医療供給者のデータベースを検索する。コンピュータプログラム製品は、有資格の医療供給者を、彼らの専門分野、専門性の長さ、医療評判、及び／又は、他の医師からの紹介に基づいてランク付けする。症例に割り当てられた専任のグループメンバは、本発明のコンピュータプログラム製品を利用して、特定された有資格の医療供給者の少なくとも一者による、受け取った診療記録の解釈を要請する。
【００７４】
有資格の医師は、本発明に割り当てられた専任のグループメンバからメッセージを受け取り（図６、６０１）、診療記録の解釈を提出するよう有資格の医師を促す。このメッセージは、医師グループ６０２に新しい症例を説明する。医師が新しい症例６０３の説明を開くと、要請の課題及び範囲を含む症例の簡潔な概要が医師に提示される。医師が新しい症例６０３ａへのリンクをクリックすると、医師は、この患者のステージＩＶの虫垂の印環腺癌という診断についてのより包括的な説明を備える、本発明内のオンラインの安全な場所に転送される。このメッセージは、また、対象者６０３ｂによって最後に更新された年月日の情報を医師に提供し、医師は、メッセージを消去する６０４ａか、閉じる６０４ｂかを選択できる。
【００７５】
有資格の医師は、この患者のステージＩＶの虫垂の印環腺癌という診断を説明する、新しい症例６０３ａへのリンクをクリックする。図７は、有資格の医師がアクセスしている、より包括的な症例説明７０１を備えるオンラインページの構成を図示する。症例の臨床概要７０２は、医療解釈を求める対象者によって提供された全ての診療記録、医療情報、及び、既往歴を含む。ステージＩＶの虫垂の印環腺癌という診断を受けた対象者の臨床概要７０２は、対象者の既往歴、診察及び検査結果、対象者の担当医師による評価と計画、対象者からの質問、及び、少なくとも一者の専門家による審査のためのプレースホルダを含む。ステージＩＶの虫垂の印環腺癌という診断を受けた対象者の症例の媒体７０３は、腹部と骨盤の造影のＣＴスキャン、腹部と骨盤の造影なしのＣＴスキャン、冠状面の身体関連の媒体、矢状面の身体関連の媒体、及び、これらに関連する情報を含む。医療解釈の要請を審査する有資格の医師は、例えば、対象者７０４によって投稿された症例のコメントおよび質問にアクセスすることができる。医療解釈の要請を審査する有資格の医師は、年齢及び性別を含む、患者情報の概要を閲覧することができ、有資格の医師は更なる患者情報を備えるリンク７０５ａにアクセスできる。症例に基づいて、有資格の医師は症例７０６に関して専門家の審査を提供することを選択するか、又は、有資格の医師は症例に関して専門家の審査を提供しないことを選択することができる。
【００７６】
有資格の医師は、腺癌について広い専門知識を持つ腫瘍医である。有資格の医師は、症例に関して専門家の審査を提供することを選択する。症例に関する審査を承諾することによって、有資格の医師は、本発明のウェブサイト内の安全な場所にある専門家の症例概要８０１にアクセスできるようになる。こうして、有資格の医師は、症例に関連付けられた専門家として参照されるようになる。専門家は、患者の既往歴８０２ａ、診察及び検査結果８０２ｂ、担当医師の評価と計画８０２ｃ、質問８０２ｄのリンクを審査し、有資格の専門家は、他の有資格の医師８０２ｅによって提供された専門家審査を審査することができる。症例を審査する際、専門家は、補足の洞察、コメント、及び、この特定の症例を審査する権限のある別の専門家医師による専門家の意見８０２ｆを参照することができる。
【００７７】
有資格の医師は、続けて、この患者８０３のステージＩＶの虫垂の印環腺癌という診断に対する評価を提供する。有資格の医師は、新しい診断を含む提言を提供し、有資格の医師は、異なる治療方針を提案する。
【００７８】
実施例２：仮想医療システムのモジュール
オンラインの医師コミュニティが、医師によって仮想オンラインコミュニティからアクセスされる。仮想医療システムのモジュールは、重要な症例のライブラリ（図９、９０１）である。オンラインコミュニティは、医師に重要な症例のライブラリ９０２を備えるオンラインの場所へのアクセスを提供する。医師は、ライブラリ９０２中の医療的に関連性のある症例の評価を図る。医師は、ライブラリ９０２中に現在掲載されている症例を詳しく調べる。医師は、特定の症例に関する新しい投稿の作成を図り、医師は、新しい投稿９０２ａを作成するツールを医師に提供するオンラインのリンクをクリックする。医師は、ライブラリ９０２に現在備えられた症例に関心を示し、医師は、これら症例のいずれかに関連付けられたリンクの登録解除９０２ｂをクリックしないことを決める。
【００７９】
医師は、新しい投稿を作成するツールを医師に提供する仮想の場所９０３上に、情報を入力する。医師は、ピア又は同僚からの追加のフィードバックを得ようとし、医師は、グループユーザ９０３ａを選択するために症例が見えるようにすることを決定する。権限のある医師及びグループユーザは、この症例と関連付けられた医師グループのニュース９０４、ライブラリと関連付けられた複数の症例９０５、ライブラリと関連付けられた複数の症例の媒体９０６、及び、ライブラリと関連付けられた複数のファイル９０７にコメントを投稿する。一部の権限のある医師及びグループユーザは、新しく作成された投稿との比較のために閲覧されそうな類似／関連症例の関連ファイル９０８へのリンクを更に提供する。
【００８０】
仮想医療システムのモジュールは、症例管理モジュール（図１０、１００１）である。医師は、症例管理１００１モジュールを通して、仮想医療システム内の医療解釈の要請の管理を図る。医師は、症例管理モジュール１００１にアクセスし、医師は、医師が審査することに同意したアクティブな相談１００１を見えるようにする。医師は、また、医師のグループ内で、アクティブな症例を見えるようにする。医師は、アクティブな相談１００１をクリックする。医師は、クリックされたアクティブな症例１００２と関連付けられた情報を見えるようにする。アクティブな症例と関連付けられた情報は、症例の名称１００２ａ、最後の更新日１００２ｂ、症例の状態１００２ｃ、コメント１００２ｄ、医師の役割１００２ｅ、サービス１００２ｆ、及び、アクション可能な項目１００２ｇを含む。医師は、アクション可能な項目が専門家レポートを書くように医師に要求しているのを確認する。医師は、続いて、専門家レポートを書く。
【００８１】
仮想医療システムのモジュールは、ピアグループモジュール（図１１、１１０１）である。医師は、仮想医療システムの中で同僚とピアとのやりとりを図り、医師は、ピアグループモジュール１１０２のリンクにアクセスする。医師は、ピアグループ１１０３のエントリーページへのリンクをクリックし、医師は、腫瘍内科学の症例など、医師のピアによって投稿された説明を見えるようにする。医師は、また、ピアグループリンク１１０３内の医師によって過去に投稿された手術症例について、ピアの投稿したコメントを見えるようにする。ピアグループモジュール１１０３内で、医師は、投稿された症例に関連する覚書と注記１１０３ａの一連のガイドラインを見えるようにする。医師は、ピアコミュニティ１１０３ｂ内のサブグループを見えるようにする追加のリンクをクリックすることを選択する。
【００８２】
実施形態
以下の実施形態は、本発明の具体的な例を非限定的に提供するが、本発明の範囲を制限しない。
【００８３】
実施形態１
診療記録の解釈を要請する方法であって、ａ）コンピュータシステムによって対象者に関連付けられた診療記録を受信することと、ｂ）前記診療記録に基づいて医療供給者のデータベースを検索することと、前記データベースの各医療供給者は、少なくとも一者の有資格の医療供給者を提供するために、独立して専門分野と関連付けられ、前記有資格の医療供給者は前記診療記録を解釈する資格があり、前記コンピュータシステムはプロセッサを備え、前記検索は前記プロセッサによって実施され、ｃ）前記有資格の医療供給者による前記診療記録の要請された解釈を要請することと、ｄ）前記有資格の医療供給者による前記診療記録の前記要請された解釈を受信することと、及び、ｅ）解釈のランキングを提供するために、前記要請された解釈を、異なる医療供給者による少なくとも一つの代替解釈に対してランク付けすることと、を備える前記方法。
【００８４】
実施形態２
前記有資格の医療供給者は、前記医療記録と関連付けられた専門知識を有する、実施形態１に記載の方法。
【００８５】
実施形態３
前記要請された解釈は、前記専門知識の水準に基づいてランク付けされる、実施形態１及び２のいずれか一つに記載の方法。
【００８６】
実施形態４
前記要請された解釈は、前記有資格の医療供給者及び追加の医療供給者間の仮想的協力体制に基づく、実施形態１から３のいずれか一つに記載の方法。
【００８７】
実施形態５
前記有資格の医療供給者及び前記追加の医療供給者は、互いに匿名である、実施形態１から４のいずれか一つに記載の前記方法。
【００８８】
実施形態６
前記診療記録の前記解釈は診断を備える、実施形態１から５のいずれか一つに記載の方法。
【００８９】
実施形態７
前記診療記録の前記解釈は治療の提言を備える、実施形態１から６のいずれか一つに記載の方法。
【００９０】
実施形態８
前記診療記録の前記解釈は、セカンドオピニオンを提供するための診断の審査を備える、実施形態１から７のいずれか一つに記載の方法。
【００９１】
実施形態９
前記診療記録の前記解釈は、セカンドオピニオンを提供するための治療の提言の審査を備える、実施形態１から８のいずれか一つに記載の方法。
【００９２】
実施形態１０
解釈の前記ランキングへのアクセスをユーザに提供することを更に備える、実施形態１から９のいずれか一つに記載の方法。
【００９３】
実施形態１１
前記診療記録は身体状態を含み、前記コンピュータシステムは、前記有資格の医療供給者からの前記要請された解釈を受けると、前記有資格の医療供給者を前記身体状態と関連付けられた今後の医療要請を受信するためのキューに配置する、実施形態１から１０のいずれか一つに記載の方法。
【００９４】
実施形態１２
前記診療記録の情報に基づいて医療資源のデータベースを検索することを更に備え、それによって、関連医療資源を特定し、前記要請された解釈の要請の際に、前記関連医療資源を前記有資格の医療供給者に提供する、実施形態１から１１のいずれか一つに記載の方法。
【００９５】
実施形態１３
前記関連医療資源は、前記対象者のオンラインの個人医療プロファイルに追加される、実施形態１２に記載の方法。
【００９６】
実施形態１４
医師に解釈の前記ランキングのセカンドオピニオンを請求することを更に備える、実施形態１から１３のいずれか一つに記載の方法。
【００９７】
実施形態１５
前記診療記録及び前記要請された解釈へのアクセスを、仮想ネットワークを介してオンラインの医師コミュニティに提供することを更に備える、実施形態１から１４のいずれか一つに記載の方法。
【００９８】
実施形態１６
前記診療記録は、前記対象者からの医療要請を介して受信される、実施形態１から１５のいずれか一つに記載の方法。
【００９９】
実施形態１７
前記診療記録は、前記対象者のオンラインの個人医療プロファイルから受信される、実施形態１から１６のいずれか一つに記載の方法。
【０１００】
実施形態１８
前記診療記録は予備的診断を備える、実施形態１から１７のいずれか一つに記載の方法。
【０１０１】
実施形態１９
前記検索は複数の有資格の医療供給者を特定し、前記複数のうちの各有資格の医療供給者はランク付けされて、最高ランクから最低ランクの順に有資格の医療提供者のランク付けされた一式が提供される、実施形態１から１８のいずれか一つに記載の方法。
【０１０２】
実施形態２０
前記要請は、前記ランク付けされた一式の前記有資格の医療供給者に対して、前記最高ランクの前記有資格の医療供給者から順に問い合わせることを備える、実施形態１９に記載の方法。
【０１０３】
実施形態２１
前記要請は、前記ランク付けされた一式の前記有資格の医療供給者に対して、ランダムな順で問い合わせることを備える、実施形態１９及び２０のいずれか一つに記載の前記方法。
【０１０４】
実施形態２２
有資格の医療供給者は、少なくとも一者のその他の有資格の医療供給者が前記要請に肯定的に返答した後で、問い合わせられる、実施形態１から２１のいずれか一つに記載の前記方法。
【０１０５】
実施形態２３
前記要請した解釈と関連付けられた治療介入を前記対象者に提供することを更に備える、実施形態１から２２のいずれか一つに記載の方法。
【０１０６】
実施形態２４
ａ）仮想医療システムを提供することと、前記仮想医療システムは、ｉ）入力モジュールと、ｉｉ）データベースと、前記データベースは複数の医療供給者を備え、ｉｉｉ）検索モジュールと、ｉｖ）ランク付けモジュールと、ｖ）要請モジュールと、及び、ｖｉ）出力モジュールと、を備え、ｂ）前記入力モジュールによってユーザから電子診療記録を受信することと、前記入力モジュールは、前記検索モジュールに前記診療記録からの情報を送信し、ｃ）前記情報に基づいて、前記検索モジュールによって前記データベースを検索することと、前記検索モジュールは、前記データベースの中から、前記情報と関係付けられた医療供給者のサブセットを特定し、ｄ）前記ランク付けモジュールによって、医療供給者の前記サブセットをランク付けすることと、それによって、前記ランク付けモジュールは、医療供給者の前記サブセットの各医療供給者を、前記情報との関連度合いに基づいてランク付けし、ランク付けされた医療供給者の一式を提供し、ｅ）少なくとも一者の前記ランク付けされた医療供給者からの前記診療記録の要請された解釈を、前記要請モジュールによって要請することと、ｆ）少なくとも一つの要請された解釈を、前記要請モジュールによって、受信することと、ｇ）ランク付けされた解釈の一式を提供するため、前記ランク付けモジュールによって、少なくとも一つの代替解釈に対して前記受信した要請された解釈をランク付けすることと、及び、ｈ）前記出力モジュールを介して、前記ランク付けされた解釈の一式を出力することと、を備える方法を実装するために実行されるよう適用された、コンピュータ実行可能な暗号化されたコードを有するコンピュータ判読可能な媒体を備えるコンピュータプログラム製品。
【０１０７】
実施形態２５
工程ｃ）の前記情報に関連付けられた医療供給者の前記サブセットの各医療供給者は、専門分野に基づいて、独立して前記情報と関連付けられる、実施形態２４に記載のコンピュータプログラム製品。
【０１０８】
実施形態２６
工程ｇ）のランク付けされた解釈の前記一式の前記ランキングは、ランク付けされた医療供給者の前記一式の前記ランキングと相関関係がある、実施形態２４及び２５のいずれか一つに記載のコンピュータプログラム製品。
【０１０９】
実施形態２７
工程ａ）の前記仮想医療システムは、医療資源のデータベース及び医療資源検索モジュールを更に備え、前記医療資源検索モジュールは、関連医療資源を特定するため、前記情報に基づいて医療資源の前記データベースを検索し、前記関連医療資源は、前記要請モジュールによる前記要請において前記ランク付けされた医療供給者に提供される、実施形態２４から２５のいずれか一つに記載の前記コンピュータプログラム製品。
【０１１０】
実施形態２８
前記仮想医療システムは、オンラインのポータルを備え、前記オンラインのポータルはオンラインのコミュニティに前記診療記録へのアクセスを提供する、実施形態２４から２６のいずれか一つに記載のコンピュータプログラム製品。
【０１１１】
実施形態２９
前記オンラインのコミュニティは医師のサブセットを備える、実施形態２８に記載のコンピュータプログラム製品。
【０１１２】
実施形態３０
前記仮想医療システムは、医療撮像モジュールを更に備え、前記医療撮像モジュールは前記オンラインコミュニティに前記診療記録と関連付けられた医療画像へのアクセスを提供する、実施形態２８及び２９のいずれか一つに記載の前記コンピュータプログラム製品。
【図１】
0006525948.tif 000002
【図２】
0006525948.tif 000003
【図３】
0006525948.tif 000004
【図４】
0006525948.tif 000005
【図５】
0006525948.tif 000006
【図６】
0006525948.tif 000007
【図７】
0006525948.tif 000008
【図８】
0006525948.tif 000009
【図９】
0006525948.tif 000010
【図１０】
0006525948.tif 000011
【図１１】
0006525948.tif 000012